Podtech/llm-jp-corpus-v4-ja_patent huggingface dataset:
(57)【要約】      （修正有）【課題】車両側面前方の死角をカバーする為、ピラー外部、ボンネット端部、サイドミラー上部、下部、端部等のいずれかに入射光を屈折させるレンズを装着し、運転者から車両側面前方を目視し、安全確認が出来る様にした車両側面前方確認レンズを提供する。【解決手段】入射光屈折レンズ３とそれを飛散物等による破損から護る保護ガラスを保持器２に適切に取り付け、サイドミラー１等の運転席から見やすい位置に装着する。【選択図】図１
0003153847.tif 000002
【実用新案登録請求の範囲】
【請求項１】
車両側面前方の死角をカバーする為、入射光を適度に屈折させ、前方を確認する為のレンズを装着した保持器を運転席から見易い位置に取り付けた事を特長とする車両側面前方確認レンズ。
【考案の詳細な説明】
【技術分野】
【０００１】
本考案は、車両側面前方を目視する機能を備えた車両側面前方確認レンズに関するものである。
【背景技術】
【０００２】
乗用車の構造上、運転席から車両側面前方の前輪付近は目視出来ない。
特に、助手席側は全く見えない。
交差点を曲がったり、幅の狭い道で車や自転車、バイク、歩行者等とすれ違ったりする際に車幅の感覚をつかみ難い。
【０００３】
目視できない為、勘に頼って走行する。すると、車両前方を障害物に衝突させてしまったり、側溝に脱輪させてしまったりして危険である。
【０００４】
前述の危険を回避する為、ボンネットに広角ミラーを装着したミラーステーを取り付けたり、ドアミラー下部に広角ミラーを装着したりした。
【０００５】
広角ミラーを用いて入射光を反射させ、車両側面前方を目視しようとしても反射面の角度がきつくなり過ぎて、十分な視野が得られない。
【０００６】
また、ドアミラーに小型カメラを取り付け、その画像を車両室内のモニターに映すというシステムもある。
その多くの場合、バックガイドやナビゲーションシステムのモニターと共有している為、画像を切り替えるスイッチが必要である。
【０００７】
車両運転中に画像スイッチを切り替えるという煩雑な作業をするのは、注意力が散漫となり、事故を引き起こす危険がある。
【０００８】
また、車両室内のモニターを見ながらの運転は車幅の感覚をつかみ難い。
【考案の概要】
【考案が解決しようとする課題】
【０００９】
解決しようとする問題点は、死角になる車両側面前方を目視する為、反射鏡を使用していたが、反射角度がきつくなりすぎてしまう点である。これでは、十分な視野を得られない。
【００１０】
同様にカメラをサイドミラーに取り付け、室内のモニターに画像を映す手法もあるが、スイッチ操作が必要であると共に、車幅感覚
がつかみにくい。
【課題を解決するための手段】
【００１１】
本考案は、通常の自動車用サイドミラーと一体化、或いは後付した入射光屈折レンズ保持器を取り付ける事を特徴とする。
【考案の効果】
【００１２】
本考案により、車両側面前方の目視による確認が入射光屈折レンズにより、適切に行える。よって、障害物への衝突、側溝への脱輪等のトラブルが未然に防げるという利点がある。
【図面の簡単な説明】
【００１３】
【図１】本考案の代表的な実施形態の正視図である。
【図２】保持器の斜視図である。
【図３】図２内部断面図である。
【図４】屈折レンズによる入射光の経路図である。
【図５】本考案によって得られる運転者の視線図である。
【符号の説明】
【００１４】
１    サイドミラー
２    保持器
３    屈折レンズ
４    保護ガラス
【考案を実施するための形態】
【００１５】
これより、本考案の実施形態を図を参照しつつ説明する。
【００１６】
図１は、運転席からの車両側面前方の目視に最も適すると思われる、保持器の装着位置である。
【００１７】
保持器装着位置としては、他にピラー外部、ボンネット端部、サイドミラー上部、サイドミラー端部等が考えられる。
【００１８】
図２は、保持器単体の全体図である。保持器の素材は走行中の小石、虫等の衝突に耐えられ、水漏れが無く、外気温の低下等によるレンズの曇り、劣化を防げるものとする。
【００１９】
保持器の形状は数多く考えられるが、ここでは限定せず、洗車時にブラシ等の引っ掛かりが無いものとする。また、走行中の空気抵抗も考慮せねばならない。
【００２０】
図３は、保持器断面図である。本体２に１枚ないし複数枚の入射光屈折レンズ３を組み込む。ここでは、レンズの大きさ、枚数、形状等は限定しない。車の大きさ、形状、使用条件、装着位置等により、屈折率、屈折角等に差が生じる為である。
【００２１】
屈折レンズが、入射光を的確な経路に誘導出来る様、偏光板や調光レンズ等を使用し、入射光の乱反射の防止、光の強弱の調整を行い、最適な視野を確保する。装着位置は限定しない。
【００２２】
図３の４は屈折レンズ３を走行中の小石や虫等の衝突による損傷から守るガラスである。材料はプラスチック等でも良い。
【００２３】
図４は入射光の経路図である。装着する車両に最適な屈折角が必要で、助手席側、或いは運転席側のどちらに取り付けるかや、車種等によって、違う屈折レンズ装着位置にする。
【００２４】
図５は本考案によって、得られる視線を描いたものである。従来の広角ミラー等を用いた製品では見られない、運転手が得たい助手席から身を乗り出して車両側面前方を見る様な視野が得られる。
【００２５】
また、スイッチ操作する必要もなく、室内モニターを見ながらの車幅感覚をつかみ難い不自然な運転を強いられる事も無い。サイドミラーにより、車両側面前方、後方が見られるので、車幅感覚をつかみやすいので、ストレス無く運転出来る。
【図１】
0003153847.tif 000003
【図２】
0003153847.tif 000004
【図３】
0003153847.tif 000005
【図４】
0003153847.tif 000006
【図５】
0003153847.tif 000007
【手続補正書】
【提出日】平成21年7月22日(2009.7.22)
【手続補正１】
【補正対象書類名】実用新案登録請求の範囲
【補正対象項目名】全文
【補正方法】変更
【補正の内容】
【実用新案登録請求の範囲】
【請求項１】
車両側面前方の死角をカバーする為、ピラー外部、ボンネット端部、サイドミラー上部、下部、端部等のいずれかに入射光を屈折させるレンズを装着し、運転者から車両側面前方を目視し、安全確認が出来る様にした事を特徴とする車両側面前方確認レンズ
(57)【要約】      （修正有）【課題】ゴム紐が銃口に付けてあるゴム銃を用いてメンコを飛ばすメンコ射撃に用いるメンコにあって、メンコを発射の際、メンコに回転と前進の力を与えて飛ばすために、メンコの円周の一部に山形の切れ込みを設けてゴムが切れ込みに当たることによりメンコに回転と前進を生じ易くしたメンコを提供する。【解決手段】メンコ１をゴム銃で発射した時、銃口に付けたゴム紐３がメンコ１に当り易く、かつ該メンコを前進回転させた後メンコ１から容易に外れるようにするために、メンコの円周の一部に三角形の山形の切れ込み２をもうける。【選択図】図１
0003153845.tif 000002
【実用新案登録請求の範囲】
（１）丸いメンコの円周の一部に三角形の山形の切れ込みを加えたメンコ。
【考案の詳細な説明】
【技術分野】
【０００１】本件はゴム紐が銃口に付けてあるゴム銃を用いてメンコを飛ばすメンコ射撃に用いるメンコに関する考案である。メンコを発射の際、メンコに回転と前進の力を与えて飛ばすために、メンコの円周の一部に山形の切れ込みを設けてゴムが切れ込みに当たることによりメンコに回転と前進を生じ易くしたものである。
【背景技術】
【０００２】メンコをゴム紐が銃口についたゴム銃で飛ばす場合、丸いメンコにゴムが当りメンコが回転しながら前進して飛ぶ。この際メンコの円周が平滑であるとゴムがメンコに当たってもメンコが正確に飛ばない。この点を解決するためにメンコの円周の一部に山形の切り込みつけた。こうするとゴムが切り込みに当たりメンコを回転させながら前進させるのでメンコを正確を飛ばすことができる。
【考案の概要】
【考案が解決しようとする課題】
【０００３】メンコをゴム銃で飛ばす場合、メンコに当たったゴム紐がメンコを回転と前進させた直後にメンコから外れやすくすることが本案の課題である。
【課題を解決するための手段】
【０００４】メンコをゴム銃で発射した時、銃口に付けたゴム紐がメンコを前進回転させた後メンコから容易に外れるようにするためにメンコの円周の一部に三角形の山形の切れ込みをもうけた。
【考案の効果】
【０００５】ゴム紐がメンコの山形切り込みに当たってメンコを回転前進させ、その直後にゴム紐がメンコから外れるのでメンコが正確に飛ぶ効果がある。
【図面の簡単な説明】
【００６】
【図１】メンコを示した平面図である。
【考案を実施するための最良の形態】
【０００７】丸形メンコの円周の一部に山形の三角形の切り込みをつける。
【実施例】
【０００８】図１はメンコ射撃に用いる丸形メンコ符号１である。メンコ符号１の円周の一部に三角形の山形の切り込み符号２の一辺がある。ゴム紐符号３が山形の切り込み符号２に当たってメンコを回転させながら前進させる。
【符号の説明】
【０００９】１  メンコ
２  山形の切り込み
３  ゴム紐
【図１】
0003153845.tif 000003
【手続補正書】
【提出日】平成21年6月26日(2009.6.26)
【手続補正１】
【補正対象書類名】実用新案登録請求の範囲
【補正対象項目名】全文
【補正方法】変更
【補正の内容】
【実用新案登録請求の範囲】
【請求項１】
丸いメンコの円周の一部に三角形の山形の切れ込みを加えたメンコ。
(57)【要約】      （修正有）【課題】空気放出口の形状を容易に変更可能な、教材等として用いるに適した空気砲を提供する。【解決手段】１つの開口部を有し、シート状の物で形成されている有底  筒状の容器からなる。開口部は前面には空気放出口形成部材３を保持すると共にその空気放出口形成部材３を脱着自在に取り換えるための差し込み口部材２を設けた。【選択図】図１
0003153842.tif 000002
【実用新案登録請求の範囲】
【請求項１】
１つの開口部を有する有低筒状の容器、その容器はシート状の物で形成されている。前記開口部は前面には空気放出口形成部材を保持すると共にその空気放出口形成部材を脱着自在に取り換えるための差し込み口部材を設けたことを特徴とする空気砲。
【考案の詳細な説明】
【技術分野】
【０００１】  本考案は、空気放出口の形状を可変とした空気砲に関するものであり、教材として使用するのに適した、開口部可変型空気砲に関するものである。
【背景技術】
【０００２】  小学生などの理科実験や工作などの教材として、玩具として渦輪を発生させる道具である空気砲は、従来容器本体の大きさに対して適切なサイズの穴を開け加工し作製されており、空気砲の内部に煙を溜め空気砲側面を叩き空気の動きを観察する場合、空気放出口の形状が異なるとどうなるのかといった子供の知的好奇心により生ずる疑問に答えるためには、複数の空気砲を作製する必要があった。
【考案が解決しようとする課題】
【０００３】  本考案の課題は空気放出口の形状を容易に変更可能な、教材等として用いるのに適した空気砲を提案することにある。
【課題を解決するための手段】
【０００４】  本考案は、空気砲開口部前面に空気放出口を形成する部材を保持すると共に脱着自在に取り換えるための、差し込み口部材を設ける。
【考案の効果】
【０００５】  本考案により１台の空気砲で空気放出口の形状を容易に変更可能な、教材、玩具として用いるのに適した空気砲を提供することができる。
【考案を実施するための手段】
【０００６】  図１は本考案の斜視図である。図３に示す差し込み口部材２を、空気砲本体１の開口部に空気放出口形成部材の厚さ程度の隙間が空くよう取り付け襠を設け、図１に示す空気放出口形成部材３をスライドさせ入れ替えることにより容易に空気放出口の形状を１台の空気砲で変化できるようにした。
【０００７】  空気放出口形成部材に半円状の差し替え操作用持ち手部分６を設け、図１に示す抜き差しの操作を容易にできるようにした。
【０００８】  図２に示す空気放出口形成部材３〜５に設けた放出口形状は一例であり本考案は、あらゆる空気放出口形状を含むものとする。
【図面の簡単な説明】
【０００９】
【図１】空気砲の完成斜視図。
【図２】空気放出口形成部材の例を示す平面図。
【図３】空気放出口形成部材の差し込み口部材取り付け説明図
【産業上の利用可能性】
【００１０】  理科実験教材及び玩具
【符号の説明】
【００１１】１      空気砲の本体部
２      空気砲の差し込み口部材
３      空気放出口形成部材・円形状
４      空気放出口形成部材・星形状
５      空気放出口形成部材・円形状複数
６      差し替え操作用持ち手部分
【図１】
0003153842.tif 000003
【図２】
0003153842.tif 000004
【図３】
0003153842.tif 000005
【手続補正書】
【提出日】平成21年6月25日(2009.6.25)
【手続補正１】
【補正対象書類名】実用新案登録請求の範囲
【補正対象項目名】全文
【補正方法】変更
【補正の内容】
【実用新案登録請求の範囲】
【請求項１】
１つの開口部を有し、シート状の物で形成されている有底筒状の容器からなり、前記開口部は前面には空気放出口形成部材を保持すると共にその空気放出口形成部材を脱着自在に取り換えるための差し込み口部材を設けたことを特徴とする空気砲。
(57)【要約】      （修正有）【課題】睡眠時における、花粉症等の鼻炎による症状を緩和するフルフェイスマスクを提供する。【解決手段】柔軟性のある素材による頭部全体を覆う骨組みと、その骨組みに被せる簡単に交換可能なフィルターとを組み合わせたフルフェイスマスク。フィルターが頭部全体を覆うという構造上、花粉等が入り込みにくく、寝返りをしてもマスクがずれにくい。また、ゴム等で引っ掛けるような構造になっていないため、圧迫される箇所が無く体への負担を軽減することができる。さらに、頭部全体を覆う骨組みにより、顔とフィルターとの間に適当な空間が確保されるため、装着感が良く、蒸れにくくすることが可能となる。【選択図】図７
0003153844.tif 000002
【実用新案登録請求の範囲】
【請求項１】
柔軟性のある素材による頭部全体を覆う骨組みと、その骨組みに被せる簡単に交換可能なフィルターとを組み合わせた構造を有することを特徴とするフルフェイスマスク。
【請求項２】
簡単に交換可能なフィルターは、透明の可視部分を有することが特徴の請求項１に記載のフルフェイスマスク。
【考案の詳細な説明】
【技術分野】
【０００１】本考案は、花粉症等の鼻炎による症状を緩和し安眠するためのマスクに関するものである。
【背景技術】
【０００２】従来、花粉症等の鼻炎対策としては図１に示すような、鼻と口を覆い、顔に密着させる形のマスクが使用されている。【０００３】花粉症等の症状が重くなると、鼻づまり等により、睡眠が阻害されるようになる。
【考案の概要】
【考案が解決しようとする課題】  睡眠時に従来使用されているような図１に示すマスクを用いた場合、以下のような問題点がある。一般的に顔とマスクの間に隙間ができ易く、花粉等が入り込み易い。寝返り時にマスクがずれ易い。マスクを固定するため、耳にゴム等で引っ掛ける構造となっているが、長時間の装着は耳への負担が大きい。呼気を長時間受ける続けることでマスクが濡れ易く、さらにその状態で、マスクが直接顔に触れ続けることになるため装着感が悪く蒸れやすい。
【課題を解決するための手段】
【０００４】以上の課題を解決するために、本発明は、柔軟性のある素材による頭部全体を覆う骨組みと、その骨組みに被せる簡単に交換可能なフィルターからなる、花粉症等の対策としての安眠用フルフェイスマスクである。
【考案の効果】
【０００５】本発明により以下の効果が期待できる。フィルターが頭部全体を覆うという構造上、花粉等が入り込みにくく、寝返りをしてもマスクがずれにくい。また、ゴム等で引っ掛けるような構造になっていないため、圧迫される箇所が無く体への負担を軽減することができる。さらに、頭部全体を覆う骨組みにより、顔とフィルターとの間に適当な空間が確保されるため、装着感が良く、蒸れにくくすることが可能となる。
【図面の簡単な説明】
【０００６】
【図１】従来型の一般的なマスク。
【図２】柔軟性のある素材による頭部全体を覆う骨組みの鳥瞰図。
【図３】柔軟性のある素材による頭部全体を覆う骨組みの正面図。
【図４】骨組みに被せる簡単に交換可能なフィルターの図。
【図５】骨組みを装着したときの正面図。
【図６】骨組みを装着したときの側面図。
【図７】骨組み装着後、フィルターを被せた時の図。
【図１】
0003153844.tif 000003
【図２】
0003153844.tif 000004
【図３】
0003153844.tif 000005
【図４】
0003153844.tif 000006
【図５】
0003153844.tif 000007
【図６】
0003153844.tif 000008
【図７】
0003153844.tif 000009
【手続補正書】
【提出日】平成21年6月28日(2009.6.28)
【手続補正１】
【補正対象書類名】実用新案登録請求の範囲
【補正対象項目名】全文
【補正方法】変更
【補正の内容】
【実用新案登録請求の範囲】
【請求項１】
柔軟性のある素材による頭部全体を覆う骨組みと、その骨組みに被せる簡単に交換可能なフィルターとを組み合わせた構造を有することを特徴とするフルフェイスマスク。
【請求項２】
簡単に交換可能なフィルターは、透明な可視部分を有し、開口部を紐等で縛ることができる袋状であることが特徴の請求項１に記載のフルフェイスマスク。
(57)【要約】      （修正有）【課題】食器類を洗い易く、泡が立ち易く、冷たさを感じず、手荒れしない手袋型洗浄具を提供する。【解決手段】不透水性の材料で作った薄い下手袋とその上にはめるネット製の上手袋よりなる。【選択図】図１
0003153848.tif 000002
【実用新案登録請求の範囲】
【請求項１】
不透水性の材料で作った薄い下手袋と、その上にはめるネット製の上手袋とよりなる手袋型洗浄用具。
【考案の詳細な説明】
【技術分野】
【０００１】  本考案は、台所用品や身体を洗うのに使用する手袋型洗浄用具に関するものである。
【背景技術】
【０００２】  スポンジ、タワシなどを手に持って台所用品など洗うので洗いにくい。今後社会は高齢化が進むにつれて手元が不安定な人が増えると予想される。
手袋型だと手に馴じむので安心して洗うことの楽しみで自立心も起きてくる。
【考案の開示】
【考案が解決しようとする課題】
【０００３】  次の１〜４の機能を備えた手袋型洗浄具を提供することを課題とする。
（１）食器類を洗い易い。
（２）泡が立ち易い。
（３）冷たさを感じない。
（４）手荒れしない。
【課題を解決するための手段】
【０００４】  本考案の手袋型洗浄具は、不透水性の材料で作った薄い下手袋とその上にはめるネット製の上手袋より成るものである。
【考案の効果】
【０００５】（１）手袋型なので手によく馴じむ。
（２）上手袋がネット製なので泡が良く立つ。
（３）下手袋が不透水性なので、冷たい水が入らなく冷たく感じない。
（４）上下を重さねて使うことにより手が荒れない。
【考案を実施するための形態】
【０００６】  図面を参照しながら本考案の実施の形態を説明  する。
図において、１はエンボス化工した合成樹脂製の下手袋である。２は合成樹脂製で作ったネット製の上手袋である。
両手袋１，２は、５本指のもの  でも、ミトン型のものでもよい。上手袋２の手首部分は、ゴム布２ａ等で構成してある。上手袋２が外れないようにするためである。
上手袋の網目の大きさは、特に問わないが０、５〜１、０ｍｍ×０、５×１、０ｍｍ位のものが好ましい。
両手袋１，２は、文字通り手袋型なのでよく手に馴じむ。実施例によれば、下手袋１がエンボス化工合成樹脂製のものであるため、水を透さず、水、冷水を使っても冷たく感じない。手荒れもしない。また上手袋がネット製なので少量の洗剤でも泡立ちがよい。
【図面の簡単な説明】
【０００７】
【図１】本考案の実施の形態を示し、同図（ａ）は下手袋の平面図、同図（ｂ）は上手袋の平面図である。
【符号の説明】１  下手袋
２  上手袋
【図１】
0003153848.tif 000003
(57)【要約】【課題】  防水性が有るが耐熱性や耐火性が薄い素材によって作られた壁状の容器に、乾燥砂を収容することができ、火災予防の為にアースで静電気を除去することもできる機能を持たせる。【解決手段】  乾燥砂を収容する容器であって、壁や堤防の様な形状を成した本体容器１に、アース端子３や蓋２が取り付けられたことを特徴とする。【選択図】図１
0003153858.tif 000002
【実用新案登録請求の範囲】
【請求項１】
乾燥砂を収容する容器であって、壁や堤防の様な形状をなした容器に、アース端子や蓋が取り付けられたことを特徴とする、乾燥砂を収容する容器。
【考案の詳細な説明】
【技術分野】
【０００１】  本考案は、土嚢袋やバケツ、コンテナ、その他火災用乾燥砂を収容できる形状を有する容器類に関する。
【背景技術】
【０００２】  従来、日本国消防法に定められた危険物全般の火災鎮圧に使用可能な乾燥砂を入れて保管する為の容器は、土嚢袋やその他の箱状容器など様々な製品が生産され使用されている。しかしながら、それらは固体を収納することが可能な形状を有するだけのものである。【０００３】  火災消火用の乾燥砂を収容する容器の機能は、火災、特に消防法に定められた危険物が燃焼要因となる火災に備える為、消火薬剤と同様の機能を有する乾燥砂を留置しておくことである。特に期待されているのが、内容物である乾燥砂を泥に変えてしまわない為の防水機能や、人間が危険をおかすことなく消火対象物に乾燥砂を散布することができる何らかの機能であるが、これらは容器内に浸水が無かったり、火災が小規模で且つ消火要員が乾燥砂を遠方に射出できる道具を所持している場合にのみ有効に働く機能であり、現代社会で乾燥砂を収納するのに用いられる容器自体が、乾燥砂の乾燥を維持したり消火対象物に乾燥砂を散布する機能を有する訳ではない。【０００４】  なお、本考案に関連する公知技術として次の特許文献１を挙げることができる。【０００５】
【特許文献１】  登録実用新案第３１１９１７４号広報
【考案の開示】
【考案が解決しようとする課題】
【０００６】  上記の如く、従来技に係る乾燥砂を収容する容器は、容器内に浸水が無かったり、火災が小規模で且つ消火要員が乾燥砂を遠方に射出できる道具を所持している場合にのみ有効に働く機能であり、乾燥砂を収容する容器自体が乾燥砂の乾燥を維持したり消火対象物の乾燥砂を散布する機能を有する訳ではないので、この乾燥砂を収容する容器を防火対象物付近に設置しても、それだけでは十分な防火のう効果は得られず、火災鎮圧に乾燥砂を利用することは難しい。【０００７】  このため、危険物取り扱いを行う事業所などの防火用の乾燥砂が必要な区画に設置された乾燥砂は、水分を帯びて使用不可能な状態に有るか、乾燥していても科学的に火災鎮圧に利用し難い状態になっているのが現状である。【０００８】  本考案は、このような点を考慮し成された物であり、その目的は、防水性が有るが耐熱性や耐火性が薄い素材によって作られた壁状の容器に、乾燥砂を収容することができ、火災予防の為にアースで静電気を除去することもできる機能を持たせることで、実際の火災で容器が勝手に壊れ乾燥砂が流れ出て火災鎮圧を成すことを可能にし、乾燥砂の実用性を高めることにある。
【課題を解決するための手段】
【０００９】  上記の目的を達成する本考案の乾燥砂を収容する容器は、耐水性が有り耐熱性や耐火性が薄い素材で構成され壁や堤防の様な形状を成した容器に、アースを接続する為のアース端子や蓋が取り付けられたことを特徴とする。
【考案の効果】
【００１０】  以上説明したように、本考案によれば、耐水性が有り耐熱性や耐火性の薄い素材によって製造された壁状の容器にアースを接続する為のアース端子と蓋を取り付けるようにしたので、その容器内に乾燥砂を乾燥したまま保存でき、帯電もさせず、火災の際に火災の熱で自然に容器外に内容物である乾燥砂を流出させられるようにすることが可能となる。この乾燥砂を収容する容器を例えば危険物取り扱い施設内の防火対象物の間近に設置し、乾燥砂を内蔵すれば、防火用の乾燥砂の乾燥を維持でき、帯電体質の本体で静電気を起こして火災を誘発することなく、いざ実際の火災が起きた場合に人力に頼らずに乾燥砂を消火対象物やその付近に散布することが可能となり、危険物取り扱い施設やその他の防火対象物の防災等に有効である。
【考案を実施するための最良の形態】
【００１１】  以下、本考案の実施の形態を図面に基づき詳細に説明する。【００１２】  図１から図３は、本考案の実施の形態に係り、図１はその外観斜視図、図２はその正面縦断面図、図３はアース端子の外観斜視図である。【００１３】  図１、図２で示すように、本考案は、本体容器１と蓋２とアース端子３で構成されたものである。【００１４】  図１、図２で示すように、本体容器１は、側面の壁面が台形をした構造を成している。【００１５】  本体容器１と蓋２は、いずれも、プラスチックやＦＲＰの様な、耐水性が有って耐熱性と耐火性が薄い素材で製造されている。【００１６】  図２で示すように、本体容器１と蓋２の連結部分は螺子山になっていて、本体容器１側の連結部分が雄螺子、蓋２側の連結部分が雌螺子になっている。【００１７】  図３で示すように、アース端子３は、棒の先に輪が付いた様な形状をしている。【００１８】  図２で示すように、アース端子３は、本体容器１に半没している。【００１９】  図２で示すように、アース端子３の、本体容器１壁面内部から外部に突出させる部位の大きさは、その身体に、市販のアースコードの端子を市販のボルトとナットを用いて連結させることが可能となる大きさである。【００２０】  アース端子３先端の輪の内径は、市販されている金属ボルトを通せる広さをしている。【００２１】  本体容器１と蓋２の身体は、人に工具類を用いた破壊をされることができる程の強度を有する。
【産業上の利用可能性】
【００２２】  本考案は、消防設備を製造、販売する産業分野で利用する事ができる。
【図面の簡単な説明】
【００２３】
【図１】  本考案の実施の形態に係る乾燥砂を収容する容器の外観斜視図である。
【図２】  図１の乾燥砂を収容する容器の正面縦断面図である。
【図３】  図１の乾燥砂を収容する容器のアース端子の外観斜視図である。
【符号の説明】
【００２４】  １          本体容器
２          蓋
３          アース端子
【図１】
0003153858.tif 000003
【図２】
0003153858.tif 000004
【図３】
0003153858.tif 000005
(57)【要約】      （修正有）【課題】直管型蛍光型灯に直接取り付け、蛍光灯点灯装置を交換することなく、反射機能のある傘を取り付け出来る蛍光灯傘を提供する。【解決手段】直管型蛍光型灯の口金部にばね材１で挟み込み、裏面に反射材を蒸着したフレキシブルフィルム３を使用し、取り付けるための一体成形された合成樹脂２に取り付けばね材で一体化する。直管型蛍光型灯の口金部にばね材で挟み込まれているために、方向が変更できることで光を必要な方向に集中できる反射装置付直管型蛍光型灯傘。【選択図】図４
0003153856.tif 000002
【実用新案登録請求の範囲】
【請求項１】
直管型蛍光灯の長手方向と同じ寸法にして、直管型蛍光灯を覆うように半円形の形状し、その両縁を内側に曲げた部品を合成樹脂で一体成形する、直管型蛍光灯と半円形の間に裏面に反射材を蒸着したフレキシブルフィルムを半円形の縁に挟み込み、ばね材で挟み込み固定する、同じばね材で直管型蛍光灯の口金を挟み込む、ばね材で両方を挟み込むことで、直管型蛍光灯と半円形の合成樹脂で一体成形とフレキシブルフィルムを固定する、直管型蛍光灯の口金にばね材で挟み込むことにより方向が変化できることで、必要な所に光量あげことを特徴とする、直管型反射板付蛍光灯傘。
【考案の詳細な説明】
【技術分野】
【０００１】
直管型反射板付蛍光灯装置に関するものである。
【背景技術】
【０００２】
従来の直管型蛍光灯点灯装置は固定された方向にのみである。
【考案の開示】
【考案が解決しようとする課題】
【０００３】
従来の、直管型蛍光灯点灯装置を必要な方向に光を集中させること、これを解決しようとする課題とする。
【課題を解決するための手段】
【０００４】
本考案は従来の直管型蛍光灯点灯装置を取替えることなく、必要な方向に光を集中させること出来る方法を本考案の課題を解決するための手段とする。
【考案の効果】
【０００５】
上述のように本考案は、従来の直管型蛍光灯点灯装置を取替えることなく、必要な方向に光を集中させること出来ることで、非常に効果があり、本考案の効果があった。
【考案を実施するための最良の形態】
【０００６】
一般的の直管型蛍光灯と長手方向と同じ寸法にして、直管型蛍光灯を覆うように半円形の合成樹脂で一体成形し、その両縁を内側に曲げる、直管型蛍光灯と半円形の間に裏面に反射材を蒸着したフレキシブルフィルムを半円形の縁に挟み込む、ばね材で直管型蛍光灯の口金を挟み込む、半円形の合成樹脂で一体成形とフレキシブルフィルムを、ばね材で両方を挟み込むで、直管型蛍光灯と半円形の合成樹脂で一体成形とフレキシブルフィルムを取り付けことで、直管型蛍光灯の口金にばね材で挟み込むことにより方向が変化できることで、必要な所に光を量あげことができたことにより、実施するための最良の形態をえた。
【実施例】
【０００７】
図面に従って、以下添付実施例を説明する、１は直管型蛍光灯と半円形の合成樹脂で一体成形とフレキシブルフィルムを取り付けるためのばね材、１ａは半円形の合成樹脂で一体成形と、フレキシブルフィルムを挟み込一体化するためのばね材、２ａは半円形の合成樹脂でその両縁を内側に曲げ、フレキシブルフィルムを挟み込み固定化する。
【０００８】
３は裏面に反射材を蒸着したフレキシブルフィルム４は直管型蛍光型灯、4a は直管型蛍光型灯の口金部。
【図面の簡単な説明】
【０００９】
【図１】本考案の直管型反射板付蛍光灯傘の一部切欠断正面図
【図２】本考案の直管型反射板付蛍光灯傘の背面図
【図３】本考案の直管型反射板付蛍光灯傘の底面図
【図４】本考案の直管型反射板付蛍光灯傘の側面図
【符号の説明】
【００１０】
１    直管型蛍光型灯と反射具を取り付ける、ばね材
２    反射フィルムを取り付けるための一体成形された合成樹脂
３    裏面に反射材を蒸着された反射フィルム
４    直管型蛍光型灯
【図１】
0003153856.tif 000003
【図２】
0003153856.tif 000004
【図３】
0003153856.tif 000005
【図４】
0003153856.tif 000006
【手続補正書】
【提出日】平成21年7月22日(2009.7.22)
【手続補正１】
【補正対象書類名】実用新案登録請求の範囲
【補正対象項目名】全文
【補正方法】変更
【補正の内容】
【実用新案登録請求の範囲】
【請求項１】
直管型蛍光灯の長手方向と同じ寸法にして、直管型蛍光灯を覆うように半円形の形状であり、その両縁を内側に曲げた、合成樹脂で一体成形されている部品と直管型蛍光灯と半円形の部品との間で、半円形の縁に挟み込まれた、裏面に反射材を蒸着したフレキシブルフィルムと、このフィルムを半円形の部品とともに挟み込むばね材とを備え、前記ばね材は直管型蛍光灯の口金を挟み込むように形成されていて、このばね材で、直管型蛍光灯、半円形の部品及びフレキシブルフィルムを固定し、かつ、ばね材を直管型蛍光灯の口金に対して回転させることにより、半円形の部品の直管型蛍光灯に対する角度を変化させ、必要な所に対する光量を上げることができるように構成されている、ことを特徴とする直管型反射板付蛍光灯傘。
(57)【要約】      （修正有）【課題】弦楽器のエンドピンにより床傷が着く事や楽器の滑り防止、響きを改善する為の弦楽器演奏補助具を提供する。【解決手段】本体１の上部にエンドピンを受ける孔３を設け、高摩擦材付底部８を床の必要位置に置く、又、絨毯などの毛足のあるものは滑り止めネジ６を締め込むことにより楽器の滑りを押さえる、故にエンドピンのある弦楽器演奏の位置決めや、床傷の防止に役立つ。【選択図】図４
0003153830.tif 000002
【実用新案登録請求の範囲】
【請求項１】
板状台座上面に弦楽器のエンドピンを受ける尖状孔を下向きに設け底部に演奏時弦楽器の傾きの圧力や振動によって滑り出ないよう高摩擦材料を装着する、その板状台座の形状及び材質は特定しない、必要状況により絨毯床の場合は高摩擦材が作用しなくなる為、用途によって滑りを抑えるねじ込み固定軸を装着する、演奏時は振動盤の役目も有り、上下面に突起や溝を設け楽器の響きを調整する構造を施した事を特徴とする弦楽器演奏補助具。
【考案の詳細な説明】
【技術分野】
【０００１】  本考案は、弦楽器のエンドピンにより床傷が着く事や楽器の滑り防止、響きを改善する為の弦楽器演奏補助具に関するものである。
【背景技術】
【０００２】  エンドピンを有する弦楽器を演奏する場合、奏者が先に床にある程良い窪みを探しそれにエンドピンを固定し演奏をしていた。
【考案の開示】
【考案が解決しようとする課題】
【０００３】  エンドピンを有する弦楽器の演奏は演奏に先立ち窪みを見つけ窪みの無い時は床にエンドピンを圧し付ける等を施し演奏をしていた、本器具を必要位置に置くだけで床に傷が着かず、演奏に際しては楽器角度による滑りを押さえ、又、楽器の響きを改善する等、本器具を必要位置に置く事により前述の欠点を解決しようとするものである。
【課題を解決するための手段】
【０００４】  本考案は、必要と思われる厚さの適宜材料に弦楽器のエンドピンを差し込む為エンドピンに適合する底のある孔を上部に設け、必要な厚さを介して底部に柔軟なゴム状高摩擦材を接着しエンドピンによる床への傷、演奏前の窪みを探す手間、演奏時のエンドピンの滑りの問題点を解決している。
【考案の効果】
【０００５】  上述の様に、エンドピンの有る弦楽器を演奏する際の手間や床傷の防止、滑りを解消するのは勿論、楽器の響きを改善、調整する事に役立つ。
【本考案を実施するための最良の形態】
【０００６】  演奏者が演奏を始める前にまず弦楽器のエンドピンを置く為に必要な位置を確かめ確その認位置に本品を設置する、本品の上部受け孔にエンドピンを差込み、演奏をする。
【実施例】
【０００７】  以下、添付図面に従って一実例を説明する。１は金属、木材、プラスチック、ゴム等又は、その複合材を適宣素材で成形され上部にエンドピン受け孔と底部の着いた本体、２はエンドピンとの結合位置を見やすくする為の意匠的突起部、３はエンドピンを受ける底部付受け孔、４は響き調整の突起、５は響き調整の溝、６は毛足の有る床材の時滑りを押さえる為突出させるネジ、７は高摩擦材を貼り付ける掘り込み底部、８は滑りを抑える高摩擦材、にて構成される。
【図面の簡単な説明】
【０００８】
【図１】本考案の上部から見た斜視図である。
【図２】本考案のねじ付本体の斜視図である。
【図３】本考案の下部から見た斜視図である。
【図４】本考案の断面図である。
【符号の説明】
【０００９】１  本体
２  孔付突起部
３  エンドピン受け孔
４  響き調整突起
５  響き調整溝
６  ネジ
７  本体底部
８  高摩擦材
【図１】
0003153830.tif 000003
【図２】
0003153830.tif 000004
【図３】
0003153830.tif 000005
【図４】
0003153830.tif 000006
【手続補正書】
【提出日】平成21年6月23日(2009.6.23)
【手続補正１】
【補正対象書類名】実用新案登録請求の範囲
【補正対象項目名】全文
【補正方法】変更
【補正の内容】
【実用新案登録請求の範囲】
【請求項１】
板状台座上面に弦楽器のエンドピンを受ける尖状孔を下向きに設け底部に演奏時弦楽器の傾きの圧力や振動によって滑り出ないよう高摩擦材料を装着する、絨毯床の場合は高摩擦材が作用しなくなる為、用途によって滑りを抑えるねじ込み固定軸を装着する、演奏時は振動盤の役目も有り突起や溝を設けた事を特徴とする弦楽器演奏補助具。
(57)【要約】      （修正有）【課題】誰でも簡単に安全に展示作品の入れ替えができ、かつ、装飾性にも優れた額縁を提供する。【解決手段】額縁の主として下辺又は作品によっては左右の縁枠辺でも可能であるが、一辺を切り離し展示物と額枠を支える役目の背面板Ｂにつけ一体化させたものＣと、残りの三辺の額縁枠Ａと二つの部材により額縁を構成する。吊紐などの留め用具は背面版につける。額縁の四辺内側の共通同位置に、同深さの凹溝を作る。この凹溝は背面板・作品・透明板などを挿入して覆い額を完成させる為の物である。幅に関して三辺は背面板・作品・必要があるときはマット紙・透明板の合計厚さとなり、背面板と一体化している一辺は作品・マット紙・透明板などの合計厚さとする。【選択図】図１
0003153828.tif 000002
【実用新案登録請求の範囲】
【請求項１】
額縁を構成している上下左右の縁枠四辺の一辺を切り離し、展示物と額枠を支える背面板につけ一体化させたものと連結している三つの枠縁の二つの部材より成り立っている額縁。連結している三辺の額枠に展示物と背面板などの本体を挿入し完成する額縁。
【請求項２】
背面板本体に吊紐が取り付けられる用具が付いている。
【請求項３】
額縁の縁枠３辺の内側に凹面があり、背面板と版画などの展示作品やガラスなど透明板を差し込むことが出来るもの。
【考案の詳細な説明】
【技術分野】
【０００１】本考案は額縁の中の絵画や写真の取替えを安全かつ容易にするために考案された簡易額縁である。
【背景技術】
【０００２】額に入れられた展示物を変えるという事は手間とコツを要した面倒な作業なので最近展示品交換を簡便にするための考案が色々となされている。額の背面から作品を交換するのではなく前面から作品を交換できる額縁が考案されている。
【先行技術文献】
【実用新案文献】
【０００３】
【実用新案文献１】
登録実用新案第１２８２３１号
マグネットの吸着力による脱着機能を具備した額縁の前面より作品交換が出来る額縁である。
【実用新案文献２】
登録実用新案第３１３３０４２号
マグネットを利用して額を本体と開口部を備える枠板にわけ作品を保持固定している。
【実用新案文献３】
実用新案公開平５−９３３２１
マグネットを使わずに、額枠に溝をつけ展示物を溝の深浅を利用して前面より納め楔を差し込む方法である。
【考案の概要】
【考案が解決しようとする課題】
【０００４】従来、額縁は展示物を支える背面板と額縁枠を釘や金具で付け美観と補強のためテープで覆うので中の展示物を交換するのは手間と技術を要した。又、吊紐の取り付け用具は安全を鑑み左右の額縁枠の枠内に取り付けざるを得ず、展示物交換時は吊紐取り付け用具をはずす又は紐を解く必要があった。それ故背面からではなく前面より容易に展示物交換が出来るようにマグネットを使う、溝を掘り楔を入れるなどの提案が既になされている。本考案は加重の安全性や吊紐の煩わしさにも配慮され展示物の交換が容易に出来る額縁を提供する。
【考案を解決するための手段】
【０００５】本考案は上下左右の四辺連結から構成されている額縁枠の一辺を切ったものである。即ち、額縁の主として下辺又は作品によっては左右の縁枠辺でも可能であるが、一辺を切り離し展示物と額枠を支える役目の背面板につけ一体化させたものと残りの三辺の額縁枠と二つの部材より成り立っている額縁である。
【０００６】吊紐などの留め用具は背面版につける。
【０００７】額縁の四辺内側の共通同位置に、同深さの凹溝を作る。この凹溝は背面板・作品・透明板などを挿入して覆い額を完成させる為の物である。幅に関して三辺は背面板・作品・必要があるときはマット紙・透明板の合計厚さとなり、背面板と一体化している一辺は作品・マット紙・透明板などの合計厚さとなる。
【考案の効果】
【０００８】元来日本には季節に合わせて床の軸を変えるという文化があった。軸は収納にも優れているが、生活様式も西洋風になり現在は額装された絵を掛けるほうが多い。しかし額はかさばり多くを収納出来ない。版画や写真作品をもっと日常生活で楽しみたいという要望に応えるには気楽に額の中身の展示物を変える事の出来る額が必要である。本考案の額は展示作品を交換する時は内容物と一体となっている背面板本体を三辺の額縁枠から引き出すだけで出来る。中身を差し替えるのに吊紐などの煩わしさも無く簡便に安全に出来る。また、展示作品は背面板の前に差し込むだけなので容易である。額の加重については全体で支える事になるので大変安全である。額素材も問わないので作品や飾る場所に合わせて、木材・アクリル・金属と色々使え、額縁の表装デザインもモダンなものから古典的な額縁まで色々と楽しめる。
【考案を実施するための形態】
【０００９】この考案の実施例を図面参照して説明する。図１は方形の額縁枠から切り離した一辺に背面板をつけて一体化した物と残りの額縁枠三辺である。素材は問わないが木材を用いて額縁を作る時は縁枠と背面板の接着を強力にする必要がある。アクリルや金属などは接着または型形成にする。
【００１０】図２と図３は額縁枠の断面図である。刻まれている凹溝の深さは両方共に同じであるが、背面板と一体となっている幅は三辺の幅より背面板分の幅を引いた幅になっている。差し込み式なので差し込んだ時違和感が無いように計算する必要がある。
【００１１】図４は額縁枠が背面板と一体となっている部材の背面であり吊紐通しを装着している。
【００１２】図面には描いていないが額縁の表装部分のデザインは如何様にもできるが、たとえば四隅にメダリオンや放射文様をつけると差し込み部分が目立ず装飾性にも富む。
【図面の簡単な説明】
【００１３】
【図１】額縁を構成する二つの部材平面図である。
【図２】背面板と一体になった額縁枠一辺の断面図である。
【図３】額縁枠三辺の断面図である・
【図４】背面図と一体になった額縁枠一辺の背面図である。
【符号の説明】    Ａ      連結された三辺の額枠
Ｂ      背面板
Ｃ      切り離された一辺の額枠
Ｄ      吊紐取り付け用具
Ｘ１  連結された額枠の凹溝部分
Ｘ２  背面板と一体化している額枠の凹溝部分
【図１】
0003153828.tif 000003
【図２】
0003153828.tif 000004
【図３】
0003153828.tif 000005
【図４】
0003153828.tif 000006
【手続補正書】
【提出日】平成21年6月25日(2009.6.25)
【手続補正１】
【補正対象書類名】実用新案登録請求の範囲
【補正対象項目名】全文
【補正方法】変更
【補正の内容】
【実用新案登録請求の範囲】
【請求項１】
上下左右の四辺の縁枠を有する額縁であって、上記縁枠の一辺を他の三辺と切り離し、切り離した一辺の縁枠と背面板を一体化させ、残りの三辺の縁枠に前記背面板を差し込む凹溝を備え、前記背面板を前記凹溝に差し込んで一体化することを特徴とする額縁。
【請求項２】
前記背面板の裏側に吊紐が取り付けられる吊紐取り付け用具を有する事を特徴とする請求項１記載の額縁
【請求項３】
前記凹溝は背面板と展示作品や透明板を差し込む事が出来ることを特徴とする請求項１又は請求項２に記載の額縁
(57)【要約】      （修正有）【課題】宴会や会食などで箸の置き場所を明確にして上げ下ろしを容易にする立て形箸置を提供する。【解決手段】膳や食卓の上に並ぶ器の中に立体的な箸置があることで箸の上げ下ろしにまごつかないですむ。箸を置く筒の径や高さは箸を入れて倒れない、又入れ易い径と高さにし、底板はそれを支える大きさと重さが必要となり種々の形によって調整したものである。【選択図】図１
0003153821.tif 000002
【実用新案登録請求の範囲】
【請求項１】
使用中の箸を一寸置く時に垂直、傾斜いづれの形にでも立てゝ置くことが出来る、一膳用箸立て付き箸置。
【請求項２】
箸置の付かない一膳用箸立。
【請求項３】
一膳用箸立て付き箸置、箸置の付かない一膳用箸立に施す装飾細工や、デザイン、及び形状。
【考案の詳細な説明】
【技術分野】
【０００１】本考案は従来箸を横に寝せて置いて上げ下げしたものを使用中は立てゝ置けるようにしたものである。
【背景技術】
【０００２】従来箸は箸置に横に置いていたが宴会時など箸の上げ下ろしに無意識のうちにとまどいを感じていた。
【考案の開示】
【考案が解決しようとす課題】
【０００３】宴会や会食時出てくる料理が多くなると箸の置き場所にまごつく時があるので箸の置き場所を明確にして箸の上げ下ろしを容易にしようとするものである。
【課題を解決するための手段】
【０００４】立て形箸置は立体物であるから膳や食卓の上で箸の置き場所がすぐわかり上げ下ろしが容易になる。
【考案の効果】
【０００５】宴会や会食などでは、箸を持ち続けているわけにはゆきませんから大変便利になる。
又装飾したり細工したものなどは、膳を賑やかにして場を和ませる
【考案を実施するための最良の形態】
【０００６】箸を置く筒の経や高さは箸を入れて倒れない、又入れ易い径と高さにして底板は、それを支える大きさと重さが必要となり種々の形によって調整したものである。
【産業上の利用可能性】
【０００７】ホテル、料亭、レストラン等の宴会の箸置が一変する
【図面の簡単な説明】
【０００８】本考案で想定される形状の一例である。
【符号の説明】
【０００９】図１が基本的考案である。図２〜図５は想定される形状の一例である。
１  立て形箸置の基本体である
２  台座
３  箸を横にしても置ける箸置座
４．洗浄用の穴
【図１】
0003153821.tif 000003
【図２】
0003153821.tif 000004
【図３】
0003153821.tif 000005
【図４】
0003153821.tif 000006
【図５】
0003153821.tif 000007
【手続補正書】
【提出日】平成21年3月24日(2009.3.24)
【手続補正１】
【補正対象書類名】実用新案登録請求の範囲
【補正対象項目名】全文
【補正方法】変更
【補正の内容】
【実用新案登録請求の範囲】
【請求項１】
箸を横にして置く箸枕を取り付けた台座に、下方に半円形の切込みを入れて洗淨時の水の逃げ道を作った筒を立てて取り付けて、箸を立てても置けることを特徴とした一膳用箸立て付き箸置。
【請求項２】
前記台座に装飾を施したことを特徴とした請求項１に記載の一膳用箸立て付き箸置。
【請求項３】
前記の台座及び筒に加工したことを特徴とした請求項１に記載の一膳用箸立て付き箸置。
【手続補正２】
【補正対象書類名】明細書
【補正対象項目名】０００８
【補正方法】変更
【補正の内容】
【０００８】
【図１】立て形箸置の原型の立体図。
【図２】箸立て用筒を傾斜して取り付け、装飾を施した立て形箸置の一例図。
【図３】箸立て用筒及び台座を角形に加工した立て形箸置の一例図。
【図４】箸立て用筒を花弁、台座を葉形に加工した立て形箸置の一例図。
【図５】箸立て用筒の下方を細く加工した立て形箸置の一例図。
【手続補正３】
【補正対象書類名】明細書
【補正対象項目名】０００９
【補正方法】変更
【補正の内容】
【０００９】１    箸立て用筒。
２    台座。
３    箸を横にして置く時の箸枕。
４    洗淨時の水逃し穴。
１ａ  箸立て用筒を傾斜させた箸立て。
２ａ  台座。
３ａ  箸を横にして置く時の箸枕。
４ａ  洗淨時の水逃し穴。
５    装飾を施したもの。
１ｂ  角形に加工した箸立て用筒。
２ｂ  角形に加工した台座。
３ｂ  箸を横にして置く時の箸枕。
４ｂ  洗淨時の水逃し穴。
１ｃ  花弁形に加工した箸立て用筒。
２ｃ  葉形に加工した台座。
３ｃ  箸を横にして置く時の箸枕。
４ｃ  洗淨時の水逃し穴。
１ｄ  下方を細く加工した箸立て用筒。
２ｄ  台座。
３ｄ  箸を横にして置く時の箸枕。
４ｄ  洗淨時の水逃し穴。
【手続補正４】
【補正対象書類名】図面
【補正対象項目名】全図
【補正方法】変更
【補正の内容】
【図１】
0003153821.tif 000008
【図２】
0003153821.tif 000009
【図３】
0003153821.tif 000010
【図４】
0003153821.tif 000011
【図５】
0003153821.tif 000012
【手続補正書】
【提出日】平成21年5月27日(2009.5.27)
【手続補正１】
【補正対象書類名】実用新案登録請求の範囲
【補正対象項目名】全文
【補正方法】変更
【補正の内容】
【実用新案登録請求の範囲】
【請求項１】
箸を横にして置く箸枕を取り付けた台座に、下方に半円形の切込みを入れて洗浄時の水の逃げ道を作った筒を立てて取り付けて、箸を立てても置けることを特徴とした一膳用箸立て付き箸置。
【請求項２】
前記の台座に装飾を施したことを特徴とした請求項１に記載の一膳用箸立て付き箸置。
【請求項３】
前記の台座と筒を一体化して装飾化工をしたことを特徴とした請求項１に記載の一膳用箸立て付き箸置。
(57)【要約】      （修正有）【課題】装着者個人を限定し、装着者の開運・健康・恋愛などさまざまな要望に対し信頼性のある装身具を提供する。【解決手段】装着者の氏名・生年月日・性別などの個人情報に基づき、あらかじめ用意された１０数種に及ぶ色のさまざまな素材の中から抽出・構成することで、個人を特定する信頼性の高い装身具とする。さらに、さまざまな色の粒状の素材を輪状に設けて装身具を構成する。【選択図】図１
0003153826.tif 000002
【実用新案登録請求の範囲】
【請求項１】
装着者個人を限定するさまざまな情報を元に構成されることを特徴とした装身具。。
【請求項２】
請求項１に記載の装身具において、公的機関より認定を受けた鑑定士の鑑定書を元に構成されることを特徴とした装身具。
【請求項３】
請求項１または請求項２記載の装身具において、公的機関の認定を受けた宝石鑑定士の選定書を元に構成されることを特徴とした装身具。
【考案の詳細な説明】
【技術分野】
【０００１】本考案は装身具に関するものであり、特に装身者を特定できる特長を持ち、お守りとしての機能を持った装身具を提供する。
【背景技術】
【０００２】従来、生年月日や干支・血液型等さまざまな条件から個人をできる限り特定して所有でき、またお守りとしても利用できる装身具が存在する。
【考案の概要】
【考案が解決しようとする課題】
【０００３】しかしながら個人の氏名が違ったとしても、生年月日や干支・血液型等は対象とする個人のみを完全に特定できるものではなく、人と同じものを身に付けたくないとの要望に答えきることは出来なかった。【０００４】中には素材が持つ一般的な意味合いを用いて、素材の組み合わせによって個人を特定させようとするものもあるが、その場合素材の持つ意味合いを誰が決定しているのかあいまいなため、信頼性を高めることが困難だった。【０００５】そこで本考案では、個人を特定する情報を元に第三者が鑑定し、その鑑定結果からさらに第三者が選定した素材によって装身具を提供することを課題とする。
【課題を解決するための手段】
【０００６】本考案に係わる装身具とは、ネックレス、ペンダント、ブレスレット、念珠、ブローチ、キーホルダーや携帯ストラップ、根付等を含む。【０００７】装身具を作成するにあたり、まず対象者の氏名・生年月日性別などさまざまな情報を確認する。【０００８】次に、公益法人など公的機関より認定を受けているさまざまな占い鑑定士によって、対象者の運勢・健康・人間関係・恋愛等対象者が必要とする情報に係わる「色」等を数種類選択することで、個人を限定する付加価値を高める。【０００９】その上で、選択した色を記載した鑑定書を別途添付することで、鑑定された「色」に対する信頼性を向上させる。【００１０】さらに選択された「色」を元に、公的機関による鑑定資格を持った宝石鑑定士によって数十種類の宝石・半貴石・セラミック等より選定された素材から装身具を作成することで、素材の持つ意味合いを裏付ける。【００１１】また、選定された素材の種類を記載した選定書を別途添付することで素材に対する価値観を向上させる。
【考案を実施するための形態】
【００１２】以下、本考案の実施形態を図面を参照して説明する。
図１に示すのは、本考案の一実施形態によるブレスレットの場合である。
図示するようにブレスレット１は、複数の球状の素材を糸状の素材で連環させる。
これらの球状の素材の材質のついては、天然石、セラミック等を使用する。
【００１３】図２は図１にて使用される根拠となった「色」についての鑑定書である。
鑑定書には、装身具の装着者よりあらかじめ確認された情報を元に、鑑定士が鑑定した「色」、本人への簡単なコメントと鑑定士が記載される。
【００１４】図３は図２を根拠として使用した球状の素材の選定書である。
選定書には、球状の素材の説明と、宝石鑑定士が記載される。
【図面の簡単な説明】
【００１５】
【図１】本考案の一実施形態によるブレスレットの斜視図。
【図２】本考案の一実施形態の「色」の根拠となる鑑定書。
【図３】本考案の一実施形態の素材選定の根拠となる選定書。
【図１】
0003153826.tif 000003
【図２】
0003153826.tif 000004
【図３】
0003153826.tif 000005
【手続補正書】
【提出日】平成21年6月26日(2009.6.26)
【手続補正１】
【補正対象書類名】実用新案登録請求の範囲
【補正対象項目名】全文
【補正方法】変更
【補正の内容】
【実用新案登録請求の範囲】
【請求項１】
さまざまな色の粒状の素材を輪状に設けたことを特徴とした装身具。
【手続補正３】
【補正対象書類名】明細書
【補正対象項目名】全文
【補正方法】変更
【補正の内容】
【考案の詳細な説明】
【技術分野】
【０００１】本考案は装身具に関するものであり、特に装身者を特定できる特長を持ち、お守りとしての機能を持った装身具を提供する。
【背景技術】
【０００２】従来、生年月日や干支・血液型等さまざまな条件から個人をできる限り特定して所有でき、またお守りとしても利用できる装身具が存在する。
【考案の概要】
【考案が解決しようとする課題】
【０００３】中には素材が持つ一般的な意味合いを用いて、素材の組み合わせによって個人を特定させようとするものもあるが、その場合素材の持つ意味合いを誰が決定しているのかあいまいなため、信頼性を高めることが困難だった。【０００４】そこで本考案では、個人を特定する情報を元にあらかじめ用意された色を持つさまざまな素材によって装身具を提供することを課題とする。
【課題を解決するための手段】
【０００５】本考案に係わる装身具とは、ネックレス、ペンダント、ブレスレット、念珠、ブローチ、キーホルダーや携帯ストラップ、根付等を含む。【０００６】装身具を作成するにあたり、まず対象者の氏名・生年月日・性別などの情報を確認する。【０００７】さらに選択された「色」を元に、十数種類の宝石・半貴石・セラミック等より選定された素材から装身具を作成することで、素材の持つ意味合いを裏付ける。
【考案を実施するための形態】
【０００８】以下、本考案の実施形態を図面を参照して説明する。図１に示すのは、本考案の一実施形態によるブレスレットの場合である。図示するようにブレスレット１は、複数の球状の素材を糸状の素材で連環させる。これらの球状の素材の材質のついては、天然石、セラミック等を使用する。
【図面の簡単な説明】
【０００９】
【図１】本考案の一実施形態によるブレスレットの斜視図。
【手続補正４】
【補正対象書類名】図面
【補正対象項目名】図２
【補正方法】削除
【補正の内容】
【手続補正５】
【補正対象書類名】図面
【補正対象項目名】図３
【補正方法】削除
【補正の内容】